(57)【要約】【課題】  本発明は、発電機の固定子片２の複数のコイル端部１を一緒に結合するための装置１０に関する。【解決手段】  第１要素１１及び第２要素１２が、台形のカーソル１４を収容し、２つの台形座部を形成する傾斜した対向している表面１３と、軸線方向に固定され且つ前記第１要素１１及び前記第２要素１２に対して回転可能に可動であり且つ前記カーソル１４のねじ孔１７内にねじ込まれるねじ溝を付けた部分を有する１つ又は２つのねじ１５とを備える。【選択図】  図２
2011188735.tif 000002
【特許請求の範囲】
【請求項１】
発電機の固定子片（２）の複数のコイル端部（１）を一緒に結合するための装置（１０）において、
前記装置（１０）は、この装置の寸法を調整するため互いに離れるように可動な第１要素（１１）及び第２要素（１２）を有することを特徴とする装置（１０）。
【請求項２】
前記第１要素（１１）及び前記第２要素（１２）は、台形のカーソル（１４）を収容し、少なくとも１つの台形座部を形成する傾斜した対向している表面（１３）と、軸線方向に固定され且つ前記第１要素（１１）及び前記第２要素（１２）に対して回転可能に可動であり且つ前記カーソル（１４）のねじ孔（１７）内にねじ込まれるねじ溝を付けた部分を有する少なくとも１つのねじ（１５）とを備えることを特徴とする請求項１に記載の装置（１０）。
【請求項３】
前記第１要素（１１）及び前記第２要素（１２）は、２つの台形座部を形成する傾斜した対向している表面（１３）を有すること、及び、１つのカーソル（１４）が、各台形座部内に収容されていることを特徴とする請求項２に記載の装置（１０）。
【請求項４】
各台形座部は、別の台形座部と一体となっていることを特徴とする請求項３に記載の装置（１０）。
【請求項５】
２つの台形座部は、前記装置（１０）の縦軸線（１６）に沿って整列されていることを特徴とする請求項４に記載の装置（１０）。
【請求項６】
前記少なくとも１つのねじ（１５）は、前記第１要素（１１）及び前記第２要素（１２）の溝形座部（１９）内に収容されているガイド部（１８）を有することを特徴とする請求項２に記載の装置（１０）。
【請求項７】
１つの単一ねじ（１５）が設けられていて、このねじ（１５）は、両カーソル（１４）のねじ孔（１７）内にねじ込まれていることを特徴とする請求項６に記載の装置（１０）。
【請求項８】
１つのねじ（１５）が、各カーソル（１４）の前記ねじ孔（１７）内にねじ込まれていて、２つのねじ（１５）が、互いに独立して操作可能であることを特徴とする請求項６に記載の装置（１０）。
【請求項９】
各ねじ（１５）は、前記第１要素（１１）及び前記第２要素（１２）の溝形座部（１９）内に収容されているガイド部（１８）を有することを特徴とする請求項８に記載の装置（１０）。
【請求項１０】
両ねじ（１５）の前記ガイド部（１８）は、前記第１要素（１１）及び前記第２要素（１２）の同じ前記溝形座部（１９）内に収容されていることを特徴とする請求項９に記載の装置（１０）。
【請求項１１】
前記第１要素（１１）及び前記第２要素（１２）は、隣接したコイル端部（１）とコイル端部（１）との間に差し込み可能なリブ（２０）を備えた外面を有することを特徴とする請求項１に記載の装置（１０）。
【請求項１２】
前記第１要素（１１）、前記第２要素（１２）、前記ねじ（１５）及び前記カーソル（１４）は、絶縁材料から作られていることを特徴とする請求項２に記載の装置（１０）。
【請求項１３】
前記リブ（２０）は、孔（２１）を備え、これらの孔（２１）は、前記装置を固定することを可能にすることを特徴とする請求項１１に記載の装置（１０）。
【請求項１４】
前記ねじ（１５）を固定するため、接着剤又は樹脂を染み込ませたコードのような固定手段が提供されることを特徴とする請求項２に記載の装置（１０）。
【発明の詳細な説明】
【技術分野】
【０００１】
本発明は、固定子片の複数のコイル端部を一緒に結合するための装置に関する。
【背景技術】
【０００２】
固定子片が固定子のスロット内に差し込まれる直線部又はスロット部と多くの場合に当該直線部に対して曲げられていて且つ一緒に電気接続されているコイル端部とから構成されることが知られている。
【０００３】
特に固定子２のコイル端部１を示す図１を参照すると、コイル端部１は、インボリュート部３及び末端直線部５を有する。
【０００４】
隣接したコイル端部１とコイル端部１との間の結合は、固定子片と固定子片との間の電気接続を実現する絶縁キャップを介した末端直線部５によって達成される。
【０００５】
当該コイル端部１のインボリュート部３とインボリュート部３との間は結合されない。
【０００６】
コイル端部１は、これらのコイル端部１の末端直線部５で固定されているだけであるので、振動が、運転中に発生しうる。
【０００７】
振動は、位相リングに対するコイル端部１の結合部分に損傷を与える可能性があり、絶縁部分及び／又は固定子片が損傷を受ける原因になる。
【０００８】
別の実施の形態では、複数の固定子片を一緒に固定するため、これらの固定子片が、コイル端部１の複数のインボリュート部３の間にプラスチックブロックを備えてもよい。
【０００９】
一般にこれらのプラスチックブロックは、一定の寸法を有し且つ孔を備える。結合レースが、これらの孔内に挿入される。
【００１０】
それにもかかわらず、不動の結合が緩む程度に、力が運転中に多くの場合にレースを緩ませるので、これらのプラスチックブロックは、複数のコイル端部１を不動に一緒に結合することはできない。この場合にも、振動が発生しうる。
【発明の概要】
【発明が解決しようとする課題】
【００１１】
本発明の課題は、公知の従来の技術の上述した問題が排除される装置を提供することにある。
【００１２】
本発明の観点は、この技術的な課題の範囲内で、不動の結合が運転中に緩む危険なしに又は限られた当該危険を伴うだけで、固定子片の複数のコイル端部を一緒に不動に固定することができる装置を提供することにある。
【００１３】
本発明の別の観点は、発電機の運転中に振動の発生を阻止する装置を提供することにある。
【課題を解決するための手段】
【００１４】
本発明の当該技術的な課題は、特許請求の範囲に記載の装置を提供することによって解決される。
【００１５】
本発明の実施の形態における装置を固定子片の複数のコイル端部を一緒に結合するために使用することが、発電機の信頼性を向上させることを有益的に可能にする。
【００１６】
本発明のさらなる特徴及び利点は、添付した図面中の限定しない例によって示された本発明の装置の好適であるものの排他的でない実施の形態の説明から明らかである。
【図面の簡単な説明】
【００１７】
【図１】固定子片のコイル端部の概略図である。
【図２】本発明の装置の２つの異なる実施の形態である。
【図３】本発明の装置の２つの異なる実施の形態である。
【図４】固定子片のコイル端部に結合されている装置の例である。この図では、２つの隣接した複数のコイル端部を一緒に結合する絶縁キャップが示されていない。
【発明を実施するための形態】
【００１８】
これらの図を参照すると、これらの図は、発電機の固定子片２の複数のコイル端部１を一緒に結合するための装置１０を示す。特に装置１０は、発電機の当該コイル端部を不動にするために配置されている。
【００１９】
装置１０は、第１要素１１及び第２要素１２を有する。これらの第１要素１１及び第２要素１２は、装置の寸法を調整するため、隣接したコイル端部とコイル端部との間の隙間に完全に嵌合するため互いに離れている。
【００２０】
特に第１要素１１及び第２要素１２は、台形のカーソル１４を収容する台形座部を形成する表面１３に面する傾斜を有する。
【００２１】
さらに、ねじ１５は、軸線方向に（つまり、縦軸線１６に沿って）固定され、第１要素１１及び第２要素１２に対して回転可能に可動であってカーソル１４のねじ孔１７内にねじ込まれるねじ山の付いた部分を有する。
【００２２】
特に、図中に示されたように、第１要素１１及び第２要素１２は、２つの台形座部を形成する傾斜した対向している表面１３を有する。１つのカーソル１４が、各台系座部内に収容されている。
【００２３】
これらの台形座部は、別の台形座部と一体となっている。つまり、これらの台形座部は、他方の台形座部に対向しているより小さいベースを有する。
【００２４】
さらに、これらの２つの台形座部は、装置の縦軸線１６に沿って整列されている。
【００２５】
ねじ１５は、第１要素１１及び第２要素１２の溝形座部１９内に収容されている（ねじの直径より大きい直径を有するディスクによって形成された）ガイド部１８を有する。
【００２６】
特に、図３は、１つの単一ねじ１５が設けられている実施の形態を示す。このねじ１５は、両カーソル１４のねじ孔１７内にねじ込まれていて且つ中心に設置されたガイド部１８も備える。このガイド部１８は、第１要素１１及び第２要素１２の溝形座部１９内に摺動式に挿入される。
【００２７】
この実施の形態では、ねじ孔１７のうちの一方のねじ孔は右回りにねじ溝が付けられ、その他方のねじ孔は左回りにねじ溝が付けられ、ねじ１５は、対応するねじ山の付いた部分を有する。
【００２８】
図２は、既に説明した実施の形態に類似の実施の形態を示し、同等の参照符号は、同様の要素を示す。さらに、この実施の形態では、２つのねじ１５が設けられているように、１つのねじ１５が、各カーソル１４のねじ孔１７内にねじ込まれている。好ましくは、この実施の形態でも、カーソル１４のねじ孔１７のうちの一方のねじ孔は右回りにねじ溝が付けられ、その他方のねじ孔は左回りにねじ溝が付けられ、ねじ１５は、対応するねじ山の付いた部分を有する。
【００２９】
この実施の形態では、２つのねじ１５が互いに独立して操作可能であり、これらのねじ１５の各々が、第１要素１１及び第２要素１２の溝形座部１９内に収容されているガイド部１８を有する。
【００３０】
特に、２つのねじ１５の２つのガイド部１８は、第１要素１１及び第２要素１２の同じ溝形座部１９内に収容されている。
【００３１】
第１要素１１及び第２要素１２の外面には、好ましくはパッドが施されている。つまり、当該外面は、例えば繊維ガラス製の柔らかいパッドを備える（図示せず）。
【００３２】
第１要素１１及び第２要素１２は、装置１０が発電機に取り付けられる時に隣接したコイル端部１とコイル端部との間に差し込み可能なリブ２０を備えた外面も有する。
【００３３】
当該リブは、好ましくは孔２１を備える。これらの孔２１は、例えばコードによって装置を固定することを可能にする。
【００３４】
さらに、装置１０は、絶縁材料から作られている。したがって、特に、第１要素１１、第２要素１２、ねじ１５及びカーソル１４は、プラスチック又はグラスファイバー強化プラスチック又はプラスチックマトリックス中に封入されたグラスファイバーのような絶縁材料から作られている。
【００３５】
さらに、第１要素１１、第２要素１２、カーソル１４及びねじ１５を一緒に保持するため、適切な手段が提供される。例えば、第１要素１１と第２要素１２との間の結合要素又はカーソル１４の両面と表面１３との間のドブテイル又はその他の適切な手段も提供される。
【００３６】
装置の操作は、説明され図示されたものから明らかであって以下で十分に説明する。
【００３７】
装置１０の幅が小さく、且つ、装置１０が、コイル端部１とコイル端部１との間に差し込まれ得るように、カーソル１４は、最初は装置１０の中心から離れた位置にある。
【００３８】
装置１０が、コイル端部１とコイル端部１との間に差し込まれると、リブ２０が、隣接したコイル端部１ａと隣接したコイル端部１ｂとの間のスリット２２内に設置される。必要な場合、装置１０が、絶縁キャップと絶縁キャップとの間に設置されてもよいことが自明である。
【００３９】
適切な位置で、カーソル１４が装置１０の中心に向かって前進し、且つ、第１要素１１及び第２要素１２が、図２及び３の矢印Ｆによって示されたように互いに離れるように、ねじ１５がねじ締めされて、複数のコイル端部１を一緒に固定する。
【００４０】
ねじ１５を固定するため、接着剤又は樹脂を染み込ませたコードのような固定手段が提供される。
【００４１】
各ねじ１５の調整が、互いに独立して可能であるので、図２中に示された実施の形態は有益である。換言すれば、装置１０を調整する場合、第１要素１１及び第２要素１２は互いに平行である必要はないものの、隣接したコイル端部１ｃとコイル端部１ｃとの間の隙間に完全に嵌合するため、これらの第１要素１１及び第２要素１２を回転させてもよい。
【００４２】
装置を取り付ける場合、いろいろな配置が可能である。
【００４３】
例えば、装置は、隙間ごとに、一つおきに、又は試験若しくは計算中に測定される大きい振動が測定される位置だけに差し込まれてもよい。さらに、１つの発電機に結合される装置の数は、１つの装置１０を複数のコイル端部間に一つおきに結合することによって低減され得る。その他の結合は、一定の寸法を有するブロックを介して実現され得る。
【００４４】
当然に、説明した特徴は、互いに別々に提供されてもよい。
【００４５】
使用される材料及び寸法は、要求及び従来の技術に応じて任意に選択され得る。
【符号の説明】
【００４６】
１    コイル端部
１ａ，ｂ  隣接したコイル端部
１ｃ  隣接したコイル端部
２    固定子片
３    ２のインボリュート部
５    ２の末端直線部
１０  装置
１１  第１要素
１２  第２要素
１３  １１，１２の表面
１４  カーソル
１５  ねじ
１６  縦軸線
１７  １４のねじ孔
１８  １５のガイド部
１９  １１，１２の溝形座部
２０  リブ
２１  ２０の孔
２２  スリット
Ｆ    １１，１２の移動方向
【図１】
2011188735.tif 000003
【図２】
2011188735.tif 000004
【図３】
2011188735.tif 000005
【図４】
2011188735.tif 000006